(57)【要約】【課題】放射線管理区域で着用した被服を洗濯する際のコストを下げ、処理効率を向上するために、放射線管理区域内で洗濯される被服の量を減らすことが可能な被服回収・洗濯施設および被服回収・洗濯方法を提供する。【解決手段】建物Ｓの地上１階フロアＦ１には、作業者が作業服などの第１の被服を脱衣する作業服脱衣エリア２と、第１の被服を脱いで肌着などの第２の被服のみを着用した作業者が身体表面の汚染を検査するチェックポイント３と、検査にパスした作業者が第２の被服を脱衣する肌着脱衣エリア４とが設置されている。第２の被服は、地下１階フロアＢ１の非管理区域に設置された肌着洗濯エリア７で洗濯・乾燥されるので、放射線管理区域で洗濯される被服の量を減らすことが可能である。【選択図】図１
2019020279.tif 000002
【特許請求の範囲】
【請求項１】
第１の被服と、前記第１の被服の内側に第２の被服とを着用した作業者が放射線管理区域から非管理区域へと移動する際に、前記第１の被服と前記第２の被服とを回収し、回収した前記第１の被服と前記第２の被服とを洗濯、乾燥するための被服回収・洗濯施設であって、
前記放射線管理区域に設置され、作業者が前記第１の被服を脱ぎ、脱いだ前記第１の被服が投入される第１の投入部が設置された第１の脱衣エリアと、
前記第１の被服を脱いだ作業者の身体表面の汚染を検査するための検査装置が設置された検査エリアと、
前記非管理区域に設置され、前記検査をパスした作業者が前記第２の被服を脱ぎ、脱いだ前記第２の被服が投入される第２の投入部が設置された第２の脱衣エリアと、
前記放射線管理区域に設置され、前記第１の投入部から回収した前記第１の被服を洗濯して乾燥する第１の洗濯乾燥機が設置された第１の洗濯エリアと、
前記非管理区域に設置され、前記第２の投入部から回収した前記第２の被服を洗濯して乾燥する第２の洗濯乾燥機が設置された第２の洗濯エリアと、
を備えることを特徴とする被服回収・洗濯施設。
【請求項２】
前記第１の脱衣エリアには、前記検査をパスしなかった作業者の前記第２の被服が投入される第３の投入部が設置されている、
ことを特徴とする請求項１に記載の被服回収・洗濯施設。
【請求項３】
前記第３の投入部は、作業者が前記第１の脱衣エリアから前記検査エリアへ移動する際に、履いていた靴下を脱いで投入するための靴下投入部である、
ことを特徴とする請求項２に記載の被服回収・洗濯施設。
【請求項４】
前記第１の投入部、前記第２の投入部および前記第３の投入部は、第１のフロアに設置され、前記第１の洗濯エリアおよび前記第２の洗濯エリアは、前記第１のフロアの直下の第２のフロアに設置されていて、
前記第１の投入部、前記第２の投入部および前記第３の投入部に投入された前記第１の被服および前記第２の被服は、前記第１の投入部、前記第２の投入部および前記第３の投入部に接続されたシュートによって、前記第１の洗濯エリアおよび前記第２の洗濯エリアに回収される、
ことを特徴とする請求項３に記載の被服回収・洗濯施設。
【請求項５】
第１の被服と、前記第１の被服の内側に第２の被服とを着用した作業者が放射線管理区域から非管理区域へと移動する際に、前記第１の被服と前記第２の被服とを回収し、回収した前記第１の被服と前記第２の被服とを洗濯、乾燥するための被服回収・洗濯方法であって、
前記放射線管理区域に設置された第１の脱衣エリアで前記作業者が前記第１の被服を脱ぎ、前記第１の脱衣エリアに設置された第１の投入部に投入する第１の回収ステップと、
前記第１の被服を脱いだ作業者の身体表面の汚染を検査する検査ステップと、
前記非管理区域に設置された第２の脱衣エリアで前記検査をパスした作業者が前記第２の被服を脱ぎ、前記第２の脱衣エリアに設置された第２の投入部に投入する第２の回収ステップと、
前記放射線管理区域に設置された第１の洗濯エリアで、前記第１の投入部から回収した前記第１の被服を洗濯して乾燥する第１の洗濯ステップと、
前記非管理区域に設置された第２の洗濯エリアで、前記第２の投入部から回収した前記第２の被服を洗濯して乾燥する第２の洗濯ステップと、
を備えることを特徴とする被服回収・洗濯方法。
【発明の詳細な説明】
【技術分野】
【０００１】
本発明は、作業者が放射線関連施設で着用した被服を回収して洗濯・乾燥するための被服回収・洗濯施設および被服回収・洗濯方法に関する。
【背景技術】
【０００２】
原子力発電所などの放射線関連施設では、放射線管理区域で作業をする作業者に作業用の被服を支給し、作業者は、この被服を着用して作業を行っている。この作業用の被服は、例えば、肌着（シャツおよび股引）、靴下、作業服、帽子および手袋などであり、作業者が放射線管理区域から非管理区域へ移動する際に回収し、洗濯・乾燥して再利用している。
【０００３】
また、作業者が放射線管理区域から非管理区域へ移動する際に、非管理区域の放射線汚染を防ぐため、作業者の身体表面の放射線汚染を検査している。この検査にパスした作業者は、非管理区域への退出が許可され、検査にパスしなかった作業者は、シャワーを浴びて身体表面に付着した放射性物質を除去した後に退出を許可するなどの手順を設けている。同様に、洗濯・乾燥した被服も、放射線汚染を検査し、この検査にパスしたものを支給用の配備棚に配備している。
【０００４】
例えば、特許文献１に記載の放射線関連施設用建物では、建物の上階フロアの放射線管理区域内に、作業者が被服を脱衣する脱衣エリアと、脱衣後に身体表面の汚染を検査する検査エリアとを配置し、下階フロアの放射線管理区域内に、回収した被服を洗濯・乾燥する洗濯エリアを配置している。脱衣エリアには、脱いだ被服が投入される投入部が設置されている。この投入部には、出口が洗濯エリアまで延ばされた筒状のシュートが接続されており、投入部に投入された被服は、シュートを通って洗濯エリアに回収される。
【０００５】
洗濯エリアでは、専用の洗濯乾燥機によって回収した被服を洗濯・乾燥し、ランドリモニタによって放射線汚染を確認してから、折り畳んで配備棚に収容して、作業者へ支給している。
【０００６】
被服の洗濯排水は、放射性物質によって汚染されている可能性があるので、ろ過、イオン交換樹脂による処理、あるいは蒸留処理などを行い、その処理済み水は回収して再利用し、余剰水は放射線濃度が規制値を十分下回っていることを確認してから海洋に放出している。また、蒸留処理に伴う濃縮廃液や使用済みイオン交換樹脂は、ドラム缶に収容して固化処理を行い、その後に焼却処理している。
【先行技術文献】
【特許文献】
【０００７】
【特許文献１】特開２０１２−１０７８８４号公報
【発明の概要】
【発明が解決しようとする課題】
【０００８】
上述したように、放射線管理区域で着用した被服の洗濯には、専用の洗濯乾燥機やランドリモニタが必要となる。また、洗濯排水の処理には、洗濯排水を一時的に貯留するタンクや、ろ過、イオン交換、蒸留処理および固化処理などを行うための処理設備、処理済み水を回収再利用するための配管や、余剰水を海洋に放出するための配管などの他、これらの装置や設備を設置するためのスペースなどが必要となるため、非常にコストがかかる。
【０００９】
本発明は、放射線管理区域で着用した被服を洗濯する際のコストを下げ、処理効率を向上するために、放射線管理区域内で洗濯される被服の量を減らすことが可能な被服回収・洗濯施設および被服回収・洗濯方法を提供することを目的とする。
【課題を解決するための手段】
【００１０】
上記課題を解決するために、請求項１に記載の発明は、第１の被服と、前記第１の被服の内側に第２の被服とを着用した作業者が放射線管理区域から非管理区域へと移動する際に、前記第１の被服と前記第２の被服とを回収し、回収した前記第１の被服と前記第２の被服とを洗濯、乾燥するための被服回収・洗濯施設であって、前記放射線管理区域に設置され、作業者が前記第１の被服を脱ぎ、脱いだ前記第１の被服が投入される第１の投入部が設置された第１の脱衣エリアと、前記第１の被服を脱いだ作業者の身体表面の汚染を検査するための検査装置が設置された検査エリアと、前記非管理区域に設置され、前記検査をパスした作業者が前記第２の被服を脱ぎ、脱いだ前記第２の被服が投入される第２の投入部が設置された第２の脱衣エリアと、前記放射線管理区域に設置され、前記第１の投入部から回収した前記第１の被服を洗濯して乾燥する第１の洗濯乾燥機が設置された第１の洗濯エリアと、前記非管理区域に設置され、前記第２の投入部から回収した前記第２の被服を洗濯して乾燥する第２の洗濯乾燥機が設置された第２の洗濯エリアと、を備えることを特徴とする被服回収・洗濯施設である。
【００１１】
請求項５に記載の発明は、第１の被服と、前記第１の被服の内側に第２の被服とを着用した作業者が放射線管理区域から非管理区域へと移動する際に、前記第１の被服と前記第２の被服とを回収し、回収した前記第１の被服と前記第２の被服とを洗濯、乾燥するための被服回収・洗濯方法であって、前記放射線管理区域に設置された第１の脱衣エリアで前記作業者が前記第１の被服を脱ぎ、前記第１の脱衣エリアに設置された第１の投入部に投入する第１の回収ステップと、前記第１の被服を脱いだ作業者の身体表面の汚染を検査する検査ステップと、前記非管理区域に設置された第２の脱衣エリアで前記検査をパスした作業者が前記第２の被服を脱ぎ、前記第２の脱衣エリアに設置された第２の投入部に投入する第２の回収ステップと、前記放射線管理区域に設置された第１の洗濯エリアで、前記第１の投入部から回収した前記第１の被服を洗濯して乾燥する第１の洗濯ステップと、前記非管理区域に設置された第２の洗濯エリアで、前記第２の投入部から回収した前記第２の被服を洗濯して乾燥する第２の洗濯ステップと、を備えることを特徴とする被服回収・洗濯方法である。
【００１２】
請求項２に記載の発明は、請求項１に記載の被服回収・洗濯施設であって、前記第１の脱衣エリアには、前記検査をパスしなかった作業者の前記第２の被服が投入される第３の投入部が設置されている、ことを特徴とする。
【００１３】
請求項３に記載の発明は、請求項２に記載の被服回収・洗濯施設であって、前記第３の投入部は、作業者が前記第１の脱衣エリアから前記検査エリアへ移動する際に、履いていた靴下を脱いで投入するために予め設けられた靴下投入部である、ことを特徴とする。
【００１４】
請求項４に記載の発明は、請求項３に記載の被服回収・洗濯施設であって、前記第１の投入部、前記第２の投入部および前記第３の投入部は、第１のフロアに設置され、前記第１の洗濯エリアおよび前記第２の洗濯エリアは、前記第１のフロアの直下の第２のフロアに設置されていて、前記第１の投入部、前記第２の投入部および前記第３の投入部に投入された前記第１の被服および前記第２の被服は、前記第１の投入部、前記第２の投入部および前記第３の投入部に接続されたシュートによって、前記第１の洗濯エリアおよび前記第２の洗濯エリアに回収される、ことを特徴とする。
【発明の効果】
【００１５】
請求項１および請求項５に記載の発明によれば、放射線による汚染の可能性がある第１の被服と、放射線による汚染の可能性が低い第２の被服とを別々の脱衣エリアで脱衣して回収するので、第２の被服を非管理区域の洗濯エリアで洗濯・乾燥することが可能となる。したがって、第２の被服の分だけ、放射線管理区域での洗濯量が減少するので、専用の洗濯乾燥機やランドリモニタの台数を減らし、洗濯・乾燥作業を少なくすることが可能となる。また、第２の被服の分だけ放射線管理区域の洗濯排水も減少するので、洗濯排水の処理設備、および処理作業を減らすことも可能となる。したがって、放射線管理区域で着用される被服の洗濯・乾燥にかかるコストを下げ、効率化を図ることが可能となる。また、第２の被服が第１の被服によって汚染されるのを防ぐことも可能となる。
【００１６】
請求項２に記載の発明によれば、作業者が身体表面の汚染の検査にパスしなかった場合には、その際に着用していた第２の被服を第１の脱衣エリアの第３の投入部に投入するので、汚染された第２の被服によって、汚染されていない第２の被服が汚染されるのを防ぐことが可能となる。
【００１７】
請求項３に記載の発明によれば、従来から予め設置されている靴下投入部を第３の投入部として兼用するので、施設の改修をできるだけ少なくして比較的容易に本発明を適用することが可能である。
【００１８】
また、請求項４に記載の発明によれば、第１の投入部、第２の投入部および第３の投入部の直下のフロアに、第１の洗濯エリアおよび第２の洗濯エリアを設置し、第１の投入部、第２の投入部および第３の投入部に接続されたシュートによって、第１の被服および第２の被服を第１の洗濯エリアおよび第２の洗濯エリアに回収するので、第２の被服の回収中に第２の被服が汚染されることはなく、回収作業の効率化を図ることが可能である。
【図面の簡単な説明】
【００１９】
【図１】この発明の実施の形態に係る被服回収・洗濯施設を設置した放射線関連施設用建物の概略的な構成を示す側面図である。
【図２】図１の放射線関連施設用建物の地上１階フロアの構成を示す平面図である。
【図３】図１の放射線関連施設用建物の地下１階フロアの構成を示す平面図である。
【図４】図１の実施の形態の被服回収・洗濯手順を示すフローチャートである。
【発明を実施するための形態】
【００２０】
以下、この発明を図示の実施の形態に基づいて説明する。
【００２１】
図１〜図４は、本発明の実施の形態を示し、図１は、この実施の形態に係る被服回収・洗濯施設１が設置された放射線関連施設用建物（以下、建物という）Ｓの各フロアの構成を示す側面図である。また、図２は、建物Ｓの地上１階フロア（第１のフロア）Ｆ１の平面図、図３は、地下１階フロア（第２のフロア）Ｂ１の平面図である。
【００２２】
この被服回収・洗濯施設１は、例えば、原子力発電所の建物Ｓに設置されており、原子力発電所の放射線管理区域で作業をした作業者が、放射線管理区域から非管理区域へと移動する際に、放射線管理区域で着用していた被服を回収し、回収した被服を洗濯・乾燥するための施設である。
【００２３】
作業者が放射線管理区域内で着用する被服や装備には、放射線管理区域の汚染度に応じた防護性能を有するＢ装備、Ｃ装備などがある。Ｂ装備とは、汚染の程度による区分がＢ区域（表面汚染密度（ベクレル／ｃｍ２）が４未満（α線を放出するものがない場合）、空気中の放射性物質濃度（ベクレル／ｃｍ３）が１×１０−４未満）の場合に着用する装備である。また、Ｃ装備は、汚染の程度による区分がＣ区域（表面汚染密度（ベクレル／ｃｍ２）が４０未満（α線を放出するものがない場合）、空気中の放射性物質濃度（ベクレル／ｃｍ３）が１×１０−３未満）の場合に着用する装備である。
【００２４】
被服回収・洗濯施設１で回収・洗濯される被服は、Ｂ装備に属するＢ服である。このＢ服は、例えば、帽子、手袋、作業服、肌着（シャツおよび股引）および靴下（詳しくは図示せず）などである。本実施の形態では、これらのＢ服のうち、外部に露出される（放射線管理区域内の外気に直接曝される）帽子、手袋、作業服および靴下を第１の被服という。また、第１の被服の内側に着用（作業者の素肌の上に直接着用）され、外部への露出が少ない（放射線管理区域内の外気に直接曝されない）シャツおよび股引などの肌着を第２の被服という。
【００２５】
建物Ｓは、地上１階フロアＦ１と地下１階フロアＢ１とを備えた２層の建物である。地上１階フロアＦ１には、奥側の右端に管理区域への出入口Ｄ１があり、手前側の左端には非管理区域への出入口Ｄ２がある。なお、図２、図３では、図中下側を手前側といい、図中上側を奥側という。
【００２６】
管理区域側の出入口Ｄ１の手前側には、通路が設けられており、その左側には、放射線管理区域で着用した靴が置かれる靴置き場が設置されている。靴置き場の奥（左側）には、作業服脱衣エリア（第１の脱衣エリア）２が設置されている。作業服脱衣エリア２の手前側には、手洗い場があり、その右側には、チェックポイント（検査エリア）３と、肌着脱衣エリア（第２の脱衣エリア）４とが設置されている。チェックポイント３の手前側には、洗濯・乾燥済みの第１の被服および第２の被服が配備される配備エリア５があり、その左側には、非管理区域側の出入口Ｄ２が設けられたロッカー室が設置されている。ロッカー室の奥側には、休憩室、シャワー室、トイレなどが設けられている。
【００２７】
作業服脱衣エリア２は、作業者が帽子、手袋、作業服および靴下など（第１の被服）を脱衣するためのエリアである。すなわち、作業服脱衣エリア２は、放射線による汚染の可能性が高い第１の被服を脱衣するためのエリアであり、放射線管理区域として取り扱われる。
【００２８】
作業服脱衣エリア２には、作業者が脱いだ第１の被服がその種類ごと（帽子、手袋、作業服、靴下などの種類ごと）に投入される複数の作業服投入部（第１の投入部）２１が設置されている。作業服投入部２１は、例えば、床の上に設置されたボックスからなり、その上面に被服を投入するための開口が設けられている。作業服投入部２１の下部にはシュート２２が設けられている。シュート２２は、地上１階フロアＦ１の床（地下１階フロアＢ１の天井）を貫通するように設置された筒状のダクトであり、作業服投入部２１に投入されて落下する第１の被服を地下１階フロアＢ１の所定位置に案内する。
【００２９】
作業服脱衣エリア２と手洗い場との間には、チェンジングプレスＣＰ１が設置されている。チェンジングプレスＣＰ１は、幅が３０ｃｍ程度の段差を形成する長尺の部材であり、作業服脱衣エリア２と手洗い場との境界に設けられている。ここで、手洗い場及び手洗い場から先のエリアは、非管理区域として設定されている。すなわち、チェンジングプレスＣＰ１は、作業服脱衣エリア２と非管理区域との境界であり、作業服などの第１の被服はチェンジングプレスＣＰ１を越えることができないルールになっている。
【００３０】
また、チェンジングプレスＣＰ１と柱とのデッドスペースには、作業服脱衣エリア２から手洗い場に移動する際に脱いだ靴下が投入される靴下投入部（第３の投入部）２１ａが設けられている。
【００３１】
チェックポイント３は、作業者が非管理区域から放射線管理区域へと移動する際、または放射線管理区域から非管理区域へと移動する際に必ず通過するように規定されたエリアである。チェックポイント３には、非管理区域から放射線管理区域へと移動する際に通過するチェンジングプレスＣＰ２と、作業者の身体表面の放射線汚染を検査する体表面モニタ（検査装置）３１とが設置されている。
【００３２】
作業者は、放射線管理区域から非管理区域へと移動する際に、作業服脱衣エリア２で帽子、手袋、作業服および靴下などの第１の被服を脱いだ後、第２の被服である肌着を着用した状態で体表面モニタ３１による検査を受け、この検査にパスした場合に非管理区域への退出が許可される。検査にパスしなかった場合には、シャワーを浴びて身体表面に付着した放射性物質を除去してから再度検査を受けるように義務付けられている。
【００３３】
肌着脱衣エリア４は、作業者がシャツおよび股引（第２の被服）を脱衣するためのエリアである。すなわち、この肌着脱衣エリア４では、体表面モニタ３１の検査により汚染されていないことが確認された肌着が脱衣される。したがって、この肌着脱衣エリア４は、非管理区域として取り扱われる。
【００３４】
肌着脱衣エリア４には、作業者が脱いだ肌着が種類ごと（シャツ、股引）に投入される複数の肌着投入部（第２の投入部）４１が設置されている。肌着投入部４１は、作業服投入部２１と同様に、床の上に設置されたボックスからなり、その上面に被服を投入するための開口が設けられている。また、肌着投入部４１の下部には、作業服投入部２１と同様のシュート４２が設けられている。
【００３５】
なお、体表面モニタ３１による検査にパスしなかった作業者は、作業服脱衣エリア２に戻って肌着を脱ぎ、脱いだ肌着を靴下投入部２１ａに投入し、再度体表面モニタ３１による検査を受ける。したがって、放射線汚染の可能性がある肌着は、汚染されていない肌着とは別に回収され、洗濯・乾燥される。
【００３６】
地下１階フロアＢ１には、作業服脱衣エリア２およびロッカー室の直下に作業服洗濯エリア（第１の洗濯エリア）６が設置され、肌着脱衣エリア４の直下に肌着洗濯エリア（第２の洗濯エリア）７が設置され、配備エリア５の直下に仕上げエリア８が設置されている。また、肌着洗濯エリア７の奥側には、Ｃ装備保管エリア９が設置されており、このＣ装備保管エリア９は、作業者が階段で上階の配備エリア５と行き来できるようになっている。
【００３７】
作業服洗濯エリア６は、帽子、手袋、作業服および靴下など（第１の被服）を洗濯・乾燥するエリアであり、放射線管理区域として取り扱われる。作業服洗濯エリア６には、シュート２２内を落下してきた第１の被服を回収する回収カゴ６１と、作業服洗濯乾燥機（第１の洗濯乾燥機）６２と、ランドリモニタ６３とが複数台ずつ設置されている。
【００３８】
回収カゴ６１は、例えば、キャスタによって移動可能となっており、第１の被服が所定量収容されると作業服洗濯乾燥機６２の近傍まで移動される。作業服洗濯乾燥機６２は、槽内に収容された第１の被服を洗濯し、同じ槽内で乾燥まで行なう全自動型の洗濯乾燥機であり、放射線汚染の可能性がある被服用に最適化された専用の洗濯乾燥機である。
【００３９】
ランドリモニタ６３は、モニタ部と仕分け部（ともに図示せず）とを備えている。モニタ部は、洗濯・乾燥された第１の被服の放射線量を測定し、この測定結果が、予め定められた基準値を超えているか否かを判別する。すなわち、モニタ部で第１の被服の放射線量が基準値を超えている場合、その第１の被服は放射線で汚染されているものと判断される。仕分け部は、モニタ部の判別結果に基づいて、汚染されている第１の被服と汚染されていない第１の被服とに仕分けし、汚染されていない第１の被服を仕上げエリア８に送り出す。なお、汚染されていると判断された第１の被服は、仕上げエリア８へ送られずに廃棄物として処理される。
【００４０】
作業服洗濯エリア６の洗濯排水は、放射線汚染の可能性があるため、汚染水処理設備へと排水される。この汚染水処理設備では、洗濯排水をタンクに貯留し、ろ過、イオン交換樹脂による処理、あるいは蒸留処理などを行い、その処理済み水は回収して再利用し、余剰水は放射線濃度が規制値を十分下回っていることを確認してから海洋に放出する。
【００４１】
肌着洗濯エリア７は、シャツ、股引などの肌着（第２の被服）を洗濯・乾燥するエリアであり、作業服洗濯エリア６とは壁によって隔離されており、非管理区域として取り扱われる。肌着洗濯エリア７には、シュート４２内を落下してきた第２の被服を回収する回収カゴ７１と、肌着洗濯乾燥機（第２の洗濯乾燥機）７２とが設置されている。
【００４２】
回収カゴ７１は、例えば、キャスタによって移動可能となっており、第２の被服の回収後には、シュート４２の下方から肌着洗濯乾燥機７２の近傍まで移動される。肌着洗濯乾燥機７２は、槽内に収容された第２の被服を洗濯し、同じ槽内で乾燥まで行なう全自動型の洗濯乾燥機である。この肌着洗濯乾燥機７２は、作業服洗濯乾燥機６２とは異なり、一般的な被服用の洗濯乾燥機である。
【００４３】
なお、肌着洗濯エリア７は、体表面モニタ３１の検査により汚染されていないことが確認された肌着を洗濯・乾燥するエリアであるため、ランドリモニタは設置されていない。したがって、洗濯・乾燥後の第２の被服は、ランドリモニタによる汚染検査を行なわずに仕上げエリア８へと送られる。また、肌着洗濯エリア７の洗濯排水は、放射線汚染のおそれがないため、汚染水処理設備を利用せず、通常の洗濯排水と同様に一般の排水路へと放出される。
【００４４】
仕上げエリア８は、洗濯・乾燥された第１の被服および第２の被服を複数着ごとに結束機８１で束ねて、昇降機（ＤＷ：ダムウェータ）８２により、上階の配備エリア５に搬送するエリアである。配備エリア５では、搬送された第１の被服および第２の被服は、配備棚５１に収容される。この仕上げエリア８および配備エリア５は、体表面モニタ３１およびランドリモニタ６３によって汚染がないことが確認された被服が取り扱われるため、非管理区域として取り扱われる。
【００４５】
図１〜図３に一点鎖線で示すように、作業者が放射線管理区域から非管理区域へと移動する際には、作業服脱衣エリア２、チェックポイント３、肌着脱衣エリア４の順に移動する。その際に、第１の被服は、地上１階フロアＦ１の作業服脱衣エリア２、地下１階フロアＢ１の作業服洗濯エリア６、仕上げエリア８および配備エリア５の順に移動する。また、第２の被服は、地上１階フロアＦ１の肌着脱衣エリア４、地下１階フロアＢ１の肌着洗濯エリア７、仕上げエリア８および配備エリア５の順に移動する。
【００４６】
次に、上記実施の形態の作用について説明する。原子力発電所に出社した作業者は、非管理区域側の出入口Ｄ２から建物Ｓに入り、ロッカー室で私服を脱いで下着のみを着用した状態になってから、右側の配備エリア５に向かう。配備エリア５では、配備棚５１に収容された肌着（シャツ、股引）と、帽子、手袋、作業服、靴下（第２の被服）などを着用する。なお、作業者は、必要に応じて下階のＣ装備保管エリア９に移動し、マスクなどのＣ装備を着用する。
【００４７】
各被服を着用した作業者は、チェックポイント３のチェンジングポストＣＰ２を通って靴置き場に向かい、作業用の靴を履いて管理区域側の出入口Ｄ１から作業に向かう。
【００４８】
次に、作業を終えた作業者が放射線管理区域から非管理区域へと移動する場合について、図４のフローチャートを利用して説明する。作業者は、管理区域側の出入口Ｄ１から建物Ｓに入り、靴置き場で作業用の靴を脱ぐ。次いで、作業服脱衣エリア２に移動して第１の被服を脱ぎ、その種類ごとに決められた作業服投入部２１に投入する（ステップＳ１、第１の回収ステップ）。
【００４９】
第１の被服を脱ぎ、第２の被服のみを着用した状態の作業者は、チェンジングプレスＣＰ１を越えて手洗い場に入り、チェックポイント３に移動する。そして、体表面モニタ３１により、身体表面の放射線の汚染を検査する（ステップＳ２、検査ステップ）。
【００５０】
放射線の線量が基準値以下の場合（ステップＳ３でＹＥＳの場合）には、作業者は、肌着脱衣エリア４に移動して第２の被服を脱ぎ、その種類ごとに肌着投入部４１に投入する（ステップＳ４、第２の回収ステップ）。その後、作業者はロッカー室に移動して私服に着替え、出入口Ｄ２から建物Ｓの外に移動する。
【００５１】
また、放射線の線量が基準値以上の場合（ステップＳ３でＮＯの場合）には、作業者は、作業服脱衣エリア２に戻って第２の被服を脱ぎ、靴下投入部２１ａに投入する（ステップＳ５）。そして、体表面モニタ３１による検査を再度受け、これにパスした場合には作業者はロッカー室に移動して私服に着替え、出入口Ｄ２から建物Ｓの外に移動する。なお、この再検査にもパスしなかった場合には、シャワーを浴びてから再検査が行われる。
【００５２】
作業服投入部２１に投入された第１の被服と、靴下投入部２１ａに投入された第２の被服は、回収カゴ６１に回収され、作業服洗濯乾燥機６２によって洗濯・乾燥される（ステップＳ６、第１の洗濯ステップ）。洗濯・乾燥された第１の被服は、ランドリモニタ６３により放射線汚染が検査され、汚染がない場合には、仕上げエリア８に送られる。
【００５３】
また、肌着投入部４１に投入された第２の被服は、回収カゴ７１に回収され、肌着洗濯乾燥機７２によって洗濯・乾燥される（ステップＳ６、第２の洗濯ステップ）。洗濯・乾燥された第２の被服は、体表面モニタ３１によって既に放射線汚染が検査済みであるため、仕上げエリア８に送られる。なお、図４のフローチャートでは、ステップＳ６、Ｓ７の順に記載しているが、実際にはステップＳ６、Ｓ７は、同時に進行される。
【００５４】
仕上げエリア８では、洗濯・乾燥された第１の被服および第２の被服を複数着ごとに結束機８１で束ねて、昇降機８２により上階の配備エリア５に搬送する。配備エリア５では、搬送された第１の被服および第２の被服は、配備棚５１に収容される。
【００５５】
この実施の形態によれば、放射線による汚染の可能性がある作業服、靴下、帽子および手袋などの第１の被服と、放射線による汚染の可能性が低い肌着（シャツ、股引）などの第２の被服とを別々の脱衣エリア２、４で脱衣して回収するので、第２の被服を非管理区域の肌着洗濯エリア７で洗濯・乾燥することが可能となる。したがって、第２の被服の分だけ、放射線管理区域での洗濯量が減少するので、放射線管理区域専用の洗濯乾燥機６２やランドリモニタ６３の台数を減らし、洗濯・乾燥作業を少なくすることが可能となる。また、第２の被服の分だけ放射線管理区域の洗濯排水も減少するので、洗濯排水の処理設備、および処理作業を減らすことも可能となる。したがって、放射線管理区域で着用される被服の洗濯・乾燥にかかるコストを下げ、効率化を図ることが可能となる。また、第２の被服が第１の被服によって汚染されるのを防ぐことも可能となる。
【００５６】
さらに。作業者が身体表面の汚染の検査にパスしなかった場合には、その際に着用していた第２の被服を第１の脱衣エリアの靴下投入部（第３の投入部）２１ａに投入するので、汚染された第２の被服によって、汚染されていない第２の被服が汚染されるのを防ぐことが可能となる。また、従来から設けられている靴下投入部２１ａを第３の投入部として兼用するので、施設の改修をできるだけ少なくして比較的容易に本発明を適用することが可能である。
【００５７】
さらに、作業服投入部２１、肌着投入部４１および靴下投入部２１ａの直下のフロアに、作業服洗濯エリア６および肌着洗濯エリア７を設置し、作業服投入部２１、肌着投入部４１および靴下投入部２１ａに接続されたシュート２２、４２によって、第１の被服および第２の被服を作業服洗濯エリア６および肌着洗濯エリア７に回収するので、回収中に第２の被服が汚染されることはなく、回収作業の効率化を図ることが可能である。
【００５８】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施形態では、肌着投入部４１として、床にボックス状の投入部を設置し、シュート４２に接続するようにしたが、可搬性を有するカゴなどを利用してもよい。この場合、カゴ内に所定量の第２の被服が収容された場合には、このカゴを肌着洗濯エリア７まで運ぶようにすればよい。同様に、第３の投入部として、靴下投入部２１ａを兼用するようにしたが、可搬性を有するカゴなどを利用してもよい。
【００５９】
また、第１の被服は、作業服、靴下、帽子、手袋などに限定されず、その他、放射線管理区域で外部に露呈される被服であれば、第１の被服として回収し、洗濯・乾燥することが可能である。同様に、第２の被服は、シャツ、股引などの肌着に限定されず、その他、第１の被服の内側に着用されて放射線管理区域で外部に直接露呈されない被服であれば、第２の被服として回収し、洗濯・乾燥することが可能である。
【００６０】
また、原子力発電所を例に説明したが、本発明は、放射線の除染区域などで利用される被服の回収、洗濯・乾燥などにも適用可能である。
【符号の説明】
【００６１】
１              被服回収・洗濯施設
２              作業服脱衣エリア（第１の脱衣エリア）
２１            作業服投入部（第１の投入部）
２１ａ          靴下投入部（第３の投入部）
２２            シュート
３              チェックポイント（検査エリア）
３１            体表面モニタ（検査装置）
４              肌着脱衣エリア（第２の脱衣エリア）
４１            肌着投入部（第２の投入部）
４２            シュート
５              配備エリア
６              作業服洗濯エリア（第１の洗濯エリア）
６１            回収カゴ
６２            作業服洗濯乾燥機（第１の洗濯乾燥機）
６３            ランドリモニタ
７              肌着洗濯エリア（第２の洗濯エリア）
７１            回収カゴ
７２            肌着洗濯乾燥機（第２の洗濯乾燥機）
Ｆ１            地上１階フロア（第１のフロア）
Ｂ１            地下１階フロア（第２のフロア）
【図１】
2019020279.tif 000003
【図２】
2019020279.tif 000004
【図３】
2019020279.tif 000005
【図４】
2019020279.tif 000006